(57)【要約】【課題】販売促進機能を有する陳列装置、及び植物の陳列方法を提供する。【解決手段】本発明の陳列装置は、複数の植物を陳列するための陳列棚と、陳列された植物に光を照射する照射部と、照射部を制御する制御部と、を有し、制御部が、複数の植物のうちの少なくとも１つに対して、照射強度、点滅速度、照射波長及び照射範囲からなる制御パラメータの少なくとも１つを制御して照射された植物を際立たせる。【選択図】図１
2022002591.tif 000002
【特許請求の範囲】
【請求項１】
複数の植物を陳列するための陳列棚と、
陳列された植物に光を照射する照射部と、
前記照射部を制御する制御部と、を有し、
前記制御部が、前記複数の植物のうちの少なくとも１つに対して、照射強度、点滅速度、照射波長及び照射範囲からなる制御パラメータの少なくとも１つを制御して照射された植物を際立たせる、陳列装置。
【請求項２】
前記植物の状態を識別可能に表示する表示部をさらに有する、請求項１に記載の陳列装置。
【請求項３】
前記植物の状態を識別可能な音声を発する音声部をさらに有する、請求項１又は２に記載の陳列装置。
【請求項４】
前記制御部は、前記複数の植物に対して前記制御パラメータを推奨順位に応じて段階的に変化させる、請求項１乃至３のいずれか１項に記載の陳列装置。
【請求項５】
前記陳列棚への接近者を検知する検知部をさらに有し、
前記制御部は、前記検知部が前記接近者を検知したときに、前記制御パラメータを制御して照射を行う、請求項１乃至４のいずれか１項に記載の陳列装置。
【請求項６】
前記検知部は、前記接近者の属性を識別する、請求項５に記載の陳列装置。
【請求項７】
前記植物の状態を把握するセンシング部をさらに有する、請求項１乃至６のいずれか１項に記載の陳列装置。
【請求項８】
前記制御部は、前記植物の陳列期間に応じて前記制御パラメータを制御する、請求項１乃至７のいずれか１項に記載の陳列装置。
【請求項９】
接近者が希望商品を提示するための操作部をさらに有する、請求項１乃至８のいずれか１項に記載の陳列装置。
【請求項１０】
前記制御部は、前記植物の陳列開始後に前記植物に対して照射を行った後、前記制御パラメータの制御を開始する、請求項１乃至９のいずれか１項に記載の陳列装置。
【請求項１１】
前記制御部は、前記植物の陳列開始前において前記植物に光が照射されなかった期間に応じて前記植物に対して所定期間照射を行った後、前記制御パラメータの制御を開始する、請求項１乃至１０のいずれか１項に記載の陳列装置。
【請求項１２】
陳列装置により植物を陳列する植物の陳列方法であって、
陳列棚に複数の植物を陳列し、
陳列された植物に照射部から光を照射し、
制御部により前記照射部を制御し、
前記制御部による前記照射部の制御では、前記複数の植物のうちの少なくとも１つに対して、照射強度、点滅速度、照射波長及び照射範囲からなる制御パラメータの少なくとも１つを制御して照射された植物を際立たせる、植物の陳列方法。
【発明の詳細な説明】
【技術分野】
【０００１】
本発明は、植物を陳列するための陳列装置、及び植物の陳列方法に関する。
【背景技術】
【０００２】
店舗等において商材である野菜又は生花等をショーケースのような陳列装置に陳列する場合に、植物の見栄えを良くする等の理由から植物に光を照射することがある。
また、植物用の陳列装置として、植物を栽培する栽培室を内部に備え、外部から栽培室を観察（目視）可能なものが開発されている（例えば、特許文献１参照）。特許文献１に記載の陳列装置では、栽培室内に照明装置が設けられており、その照明装置から植物に光を照射して植物の生育を促す。
【先行技術文献】
【特許文献】
【０００３】
【特許文献１】特開２０１３−３４４０２号公報
【発明の概要】
【発明が解決しようとする課題】
【０００４】
陳列装置では、陳列された商材に対して光を照射することにより、顧客の購買意欲等を喚起することになる。しかし、植物のように、種類又は個体ごとに品質（例えば、鮮度、風味又は大きさ等）が異なり、それらの品質が時間の経過と共に変化するものを商材として陳列する場合においては、丁度よい頃合いの植物（例えば、食べ頃の植物又は見頃の植物）等を特定し、その特定した植物を顧客に対して上手くアピールして伝えることは困難である。
また、植物は、陳列環境（例えば、照明条件及び温度条件等）によっては成長し過ぎたり劣化したりすることもあるため、陳列時には陳列環境にも気を配り、品質維持に努めなければならない。しかし、品質維持のための適切な陳列環境は、植物の種類又個体ごとにそれぞれ異なる。そのため、陳列装置全体を一括で照射するような照明では、植物の個体差等に応じて個別に陳列環境を制御することが困難である。
さらに、植物の風味又は大きさ等に関しては、顧客の好みはそれぞれ異なることも多い。そのため、各顧客の好みに応じた植物を顧客に適切に推奨することができなければ、折角の販売機会を損失してしまう虞がある。
【０００５】
本発明は、上記の事情に鑑みてなされたものであり、以下に示す目的を解決することを課題とする。
本発明は、上述した従来技術の問題点を解決し、販売促進機能を有する陳列装置、及び植物の陳列方法を提供することを目的とする。
【課題を解決するための手段】
【０００６】
上記の課題を解決するために、本発明の陳列装置は、複数の植物を陳列するための陳列棚と、陳列された植物に光を照射する照射部と、照射部を制御する制御部と、を有し、制御部が、複数の植物のうちの少なくとも１つに対して、照射強度、点滅速度、照射波長及び照射範囲からなる制御パラメータの少なくとも１つを制御して照射された植物を際立たせる、ことを特徴とする。
上記のように構成された本発明の陳列装置によれば、陳列されている複数の植物のうちの少なくとも１つに対して、照射強度、点滅速度、照射波長及び照射範囲からなる制御パラメータの少なくとも１つを制御して照射された植物を際立たせるため、販売促進機能に優れ、陳列された複数の植物の中から推奨順位の高い植物を優先的に顧客に訴求することができる。
具体的には、食べ頃の植物等、丁度よい頃合いの植物等を判別して特定し、制御パラメータを制御してその丁度よい頃合いの植物等を際立たせるように光を照射し、顧客に対して上手くアピールして伝えることができる。また、植物の個体差等に応じて制御パラメータを個別に調整し、それぞれの植物ごとの適切な陳列環境を保ち、植物の成長を抑制しながら品質が良好な状態を長く維持することができる。さらに、制御パラメータを制御して、各顧客の好みに応じた植物を適切に推奨することができる。
【０００７】
また、本発明の陳列装置において、植物の状態を識別可能に表示する表示部をさらに有する、こととしてもよい。
上記構成であれば、顧客は、表示部に表示された説明等によっても植物の状態を識別することができ、どの植物が丁度よい頃合いで推奨されているか容易に判断することができる。そのため、陳列された植物の中から推奨順位の高い植物を顧客により一層訴求することができる。
【０００８】
また、本発明の陳列装置において、植物の状態を識別可能な音声を発する音声部をさらに有する、こととしてもよい。
上記構成であれば、顧客は、音声部から発せられた音声等によっても植物の状態を識別することができ、どの植物が丁度よい頃合いで推奨されているか容易に判断することができる。そのため、陳列された植物の中から推奨順位の高い植物を顧客により一層訴求することができる。
【０００９】
また、本発明の陳列装置において、制御部は、複数の植物に対して制御パラメータを推奨順位に応じて段階的に変化させる、こととしてもよい。
上記構成であれば、制御パラメータを推奨順位、すなわち、際立たせたい植物の順位に応じて段階的に変化させることにより、顧客は、どの植物が丁度よい頃合いで推奨されているか容易に判断することができる。そのため、陳列された植物の中から推奨順位の高い植物を顧客により一層訴求することができる。
【００１０】
また、本発明の陳列装置において、陳列棚への接近者を検知する検知部をさらに有し、制御部は、検知部が接近者を検知したときに、制御パラメータを制御して照射を行う、こととしてもよい。
上記構成であれば、顧客が接近したときに、制御パラメータを制御して照射を行うことにより、植物に対して効率的に照射することができるうえ、植物の成長を抑制しながら品質が良好な状態を長く維持することができる。そのため、陳列された植物の中から推奨順位の高い植物を顧客により一層訴求することができる。
【００１１】
また、本発明の陳列装置において、検知部は、接近者の属性を識別する、こととしてもよい。
上記構成であれば、接近した顧客の属性を識別し、その属性に応じて制御パラメータを制御することにより、各顧客の好みに応じた植物を適切に推奨することができる。そのため、陳列された植物の中から推奨順位の高い植物を顧客により一層訴求することができる。
【００１２】
また、本発明の陳列装置において、植物の状態を把握するセンシング部をさらに有する、こととしてもよい。
上記構成であれば、植物の状態を把握したうえで、各植物の成長状態等に応じて制御パラメータを制御することにより、丁度よい頃合いの植物等を的確に判定して際立たせることができる。そのため、陳列された植物の中から推奨順位の高い植物を顧客により一層訴求することができる。
【００１３】
また、本発明の陳列装置において、制御部は、植物の陳列期間に応じて制御パラメータを制御する、こととしてもよい。
上記構成であれば、植物の陳列期間に応じて制御パラメータを制御することにより、陳列期間に応じた丁度よい頃合いの植物等を際立たせることができる。そのため、陳列された植物の中から推奨順位の高い植物を顧客により一層訴求することができる。
【００１４】
また、本発明の陳列装置において、接近者が希望商品を提示するための操作部をさらに有する、こととしてもよい。
上記構成であれば、陳列棚に接近した顧客は、操作部を操作することにより自身が希望する商品を提示させることができるので、各顧客の好みに応じた植物を適切に推奨することができる。そのため、陳列された植物の中から推奨順位の高い植物を顧客により一層訴求することができる。
【００１５】
また、本発明の陳列装置において、制御部は、植物の陳列開始後に植物に対して照射を行った後、制御パラメータの制御を開始する、こととしてもよい。
上記構成であれば、例えば、陳列開始前に光が照射されなかった期間があった植物であっても、陳列開始後に照射を行った後、制御パラメータの制御を開始することにより、植物の状態を良好に保つことができる。そのため、陳列された植物の中から推奨順位の高い植物を顧客により一層訴求することができる。
【００１６】
また、本発明の陳列装置において、制御部は、植物の陳列開始前において植物に光が照射されなかった期間に応じて植物に対して所定期間照射を行った後、制御パラメータの制御を開始する、こととしてもよい。
上記構成であれば、例えば、陳列開始前に光が照射されなかった期間に応じて、陳列開始後に所定期間照射を行った後、制御パラメータの制御を開始することにより、植物の状態を良好に保つことができる。そのため、陳列された植物の中から推奨順位の高い植物を顧客により一層訴求することができる。
【００１７】
また、前述した課題を解決するために、本発明の植物の陳列方法は、陳列装置により植物を陳列する植物の陳列方法であって、陳列棚に複数の植物を陳列し、陳列された植物に照射部から光を照射し、制御部により照射部を制御し、制御部による照射部の制御では、複数の植物のうちの少なくとも１つに対して、照射強度、点滅速度、照射波長及び照射範囲からなる制御パラメータの少なくとも１つを制御して照射された植物を際立たせる、ことを特徴とする。
上記の方法によれば、陳列されている複数の植物のうちの少なくとも１つに対して、照射強度、点滅速度、照射波長及び照射範囲からなる制御パラメータの少なくとも１つを制御して照射された植物を際立たせるため、陳列された複数の植物の中から推奨順位の高い植物を顧客に訴求することができる。
【発明の効果】
【００１８】
本発明によれば、販売促進機能を有し、陳列中の植物を顧客に訴求することができる。
【図面の簡単な説明】
【００１９】
【図１】本発明の一実施形態に係る陳列装置の外観を示す図であり、栽培トレー及びその内部に配置された機器については断面を示している。
【図２】本発明の一実施形態に係る陳列装置の制御系統についての説明図である。
【図３】本発明の一実施形態に係る陳列装置における照射制御処理の流れを示す図である。
【発明を実施するための形態】
【００２０】
本発明の一実施形態（以下、本実施形態という。）に係る陳列装置及び植物の陳列方法について、添付の図面に示す好適な実施形態を参照しながら詳細に説明する。
なお、以下に説明する実施形態は、本発明の理解を容易にするために挙げた例であり、本発明を限定するものではない。すなわち、本発明は、その趣旨を逸脱しない限りにおいて、以下に説明する実施形態から変更又は改良され得る。また、当然ながら、本発明には、その等価物が含まれる。
【００２１】
＜本実施形態の陳列装置の基本構成＞
本実施形態の陳列装置（以下、陳列装置１０）は、植物を陳列するための装置であり、図１に示す外観を有する。陳列装置１０は、八百屋、スーパーマーケット及びデパート等の生鮮食品を販売する店舗、オフィス、並びに、レストラン、ホテル及び旅館等の宿泊施設の厨房等に配置される。
【００２２】
以下では、店舗内に設置される陳列装置１０の構成を具体例に挙げて説明することとする。陳列装置１０は、キャスター等の可動具１２を備えており、例えば、店舗の営業時間中には、店舗内において店舗の来店者（顧客）に見え易い場所に配置され、営業外時間には店舗のバックヤード等に搬送される。ただし、これに限定されるものではなく、陳列装置１０は、常時、店舗内の所定位置に固定されて設置されてもよい。
【００２３】
陳列装置１０には、図１に示すように、野菜及び果樹等の可食植物あるいは生花等の鑑賞用植物（以下、植物Ｐ）が根を付けた状態のままで陳列される。より詳しく説明すると、陳列装置１０では、販売可能な状態まで成長した複数の植物Ｐを水耕栽培方式にて引き続き栽培しながら、その栽培中の植物Ｐを視認可能な状態で陳列している。ここで言う「栽培」は、陳列期間中の植物Ｐの鮮度を維持するための栽培を意味する。
【００２４】
陳列装置１０にて陳列される植物Ｐは、店舗販売の対象となる植物であれば特に制限されないが、例えば、バジル、レモンバジル、パクチー、ミント、ミツバ、パセリ、セロリ、ルッコラ、ステビア、ローズマリー及び葉葱等が一例として挙げられる。
【００２５】
陳列装置１０は、図１に示すように、上下に並ぶ複数の陳列棚１４と、各陳列棚１４を支持する支柱１６と、支柱１６の土台をなすハウジング１８とを有する。
【００２６】
陳列棚１４は、所定の厚みを有する板状部材であって、図１に示すケースでは３枚設けられ、各陳列棚１４は、上下方向に一定の間隔で支柱１６に固定されている。上から２段目及び３段目の陳列棚１４には、それぞれ、上面が開口された栽培トレー２０が載置されている。栽培トレー２０内には、水が溜められており、液面上には定植プレート２２が浮かべられている。なお、栽培トレー２０内には、水の代わりに、陳列された植物Ｐの栽培（鮮度維持）に有用な成分を含む養液が貯留されていてもよい。
【００２７】
定植プレート２２には所定サイズの貫通孔２２ａが複数形成されており、それぞれの貫通孔２２ａには、図１に示すように、培地２４を収容した栽培用カップ２６が嵌り込んでいる。培地２４は、略立方体状に成形されたウレタン又はスポンジ等からなり、培地２４内に植物Ｐの根を張り巡らせることで植物Ｐを保持している。栽培用カップ２６は、例えばビニール製のカップであり、底部には底孔２６ａが設けられている。栽培用カップ２６が定植プレート２２に嵌め込まれ、カップ底部が栽培トレー２０内の水又は養液に浸ると、カップ内に収容された培地２４に水又は養液が底孔２６ａを通じて浸入する。これにより、培地２４によって保持された植物Ｐの根に水又は養液が供給される。
【００２８】
陳列装置１０では、植物Ｐが、陳列棚１４上に載置された栽培トレー２０内の水又は養液に浮かべられた状態、詳しくは、根を保持する培地２４が水又は養液に浸かった状態で陳列される。なお、栽培トレー２０が載置された複数の陳列棚１４の間において、同一種類の植物Ｐが陳列されてもよく、異なる種類の植物Ｐが陳列されてもよい。
【００２９】
また、本実施形態の陳列装置１０は、陳列棚１４上に陳列された植物Ｐに容易に人の手が届く構成になっており、例えば、各陳列棚１４の上方空間の正面が開放された構成となっている。そのため、顧客は陳列装置１０の正面位置に立ち、植物Ｐが陳列された陳列棚１４の上方空間に手を伸ばすことで植物Ｐにアクセスし、植物Ｐを把持して陳列装置１０から取り出すことができる。
なお、陳列棚１４の周りをガラス板又は透明なアクリル板等で囲み、その囲みの適切な箇所に、植物Ｐを取り出すための開閉窓又は開閉扉を設ける構成でもよい。
【００３０】
陳列対象の植物Ｐが陳列装置１０に陳列されてから購入又は廃棄のために取り出されるまでの期間は、その植物Ｐの陳列期間に相当する。陳列期間の最大値は、植物Ｐの種類に応じて決まる。また、陳列期間は、複数の単位期間によって区切られる。単位期間は、１分間若しくは数分間、１時間若しくは数時間、あるいは１日若しくは数日等のように任意に決められるが、本実施形態では１日を単位期間とする。
【００３１】
ハウジング１８内には、図１に示すように、各段の栽培トレー２０に供給される水又は養液を貯留する貯留タンク２８と、貯留タンク２８内の水又は養液を循環する循環ポンプ３０とが収容されている。循環ポンプ３０により、貯留タンク２８内の水又は養液が不図示の送液ラインを通って各段の栽培トレー２０に送られ、また、栽培トレー２０内の水又は養液が不図示の返送ラインを通って貯留タンク２８内へ返送される。
【００３２】
なお、本実施形態では、各段の栽培トレー２０と貯留タンク２８との間で水又は養液を循環させることになっている。そのため、貯留タンク２８内の水又は液体を冷却するチラー等の冷却装置を設けることで、栽培トレー２０内の水温（液温）を下げることができる。ただし、水又は養液の供給方式は、循環方式に限定されるものではなく、非循環方式で栽培トレー２０内に水又は養液が供給されてもよい。
【００３３】
陳列装置１０は、図１に示すように、陳列棚１４上に陳列された植物Ｐに対して光を照射する照射部３２を備える。本実施形態では、照射部３２が陳列棚１４ごとに設けられている。具体的に説明すると、図１に示すように、上から１段目及び２段目の陳列棚１４のそれぞれの下面にはスポット照明用の光源３４が配置され、各光源３４が発する光は、当該各光源３４の直下にある陳列棚１４にて陳列された植物Ｐに対して照射される。
【００３４】
光源３４としては、無機又は有機のＬＥＤ（Light Emitting Diode）又はレーザー等の半導体発光素子、蛍光灯、水銀灯、希ガスランプ、無電極ランプ等の放電管、白熱灯等のフィラメント発光機、放射光又は蛍光等のエネルギー遷移によるもの等が利用可能である。
また、照射部３２の光源３４は、陳列棚１４上に陳列された植物Ｐに対して上方から光を照射するものに限られず、不図示ではあるが、陳列棚１４の上面に配置された光源を設け、当該陳列棚１４上に陳列された植物Ｐに対して下方から光を照射してもよい。
【００３５】
本実施形態では、照射部３２は、後述する制御部４０により、照射強度、点滅速度、照射波長及び照射範囲等からなる制御パラメータが制御される。
例えば、照射強度を変える構成としては、光源３４の発光強度を変えてもよく、単位面積あたりの光源３４の点灯数を変えてもよい。点滅速度を変える構成としては、各光源３４のＯＮ／ＯＦＦの間隔を長くしたり又は短くしたりしてもよい。照射波長を変える構成としては、暖色系、白色系、赤系又は青系等の種類の異なる光源３４を照射部３２に組み込むこととしてもよい。照射範囲を変える構成としては、照射領域に対する光源３４を点灯させ、非照射領域に対する光源３４を消灯させてもよい。
【００３６】
陳列装置１０は、図２に示すように、陳列装置１０（厳密には、陳列棚１４）への接近者を検知する検知部３６と、陳列された植物Ｐの状態を把握するセンシング部３８と、照射部３２による光照射を制御する制御部４０と、を有する。
【００３７】
検知部３６は、陳列装置１０の正面に取り付けられた公知の人感センサによって構成され、陳列装置１０の正面から所定距離内に人が位置している場合に、その者を接近者として検知し、その検知結果に応じた信号を出力する。例えば、店舗内に来店した顧客が陳列装置１０から所定距離以内の範囲に位置したときに、検知部３６をなす人感センサが当該顧客を検知する。
【００３８】
なお、検知部３６は、人感センサに限られず、陳列装置１０付近を撮像するカメラと、カメラの撮像画像を解析して陳列装置１０付近での人の有無を判定可能な画像解析装置とによって構成されてもよい。このとき、画像解析した人物像により、接近してきた顧客の属性（例えば、性別又は年齢等）を識別してもよい。
また、属性等の情報が不図示のサーバ等に予め登録されている顧客に対しては、検知部３６によりその顧客が所持する端末等を検知したときに、その登録されている情報と照合して、接近してきた顧客の属性を識別してもよい。
【００３９】
センシング部３８は、陳列装置１０に取り付けられ、植物Ｐ付近を撮像するカメラと、カメラの撮像画像を解析して植物Ｐの状態を判定可能な画像解析装置とによって構成されており、その解析結果に応じた信号を出力する。ここで判定される植物Ｐの状態とは、植物Ｐの形、大きさ、色、結実の有無又は熟れ具合等が含まれる。
【００４０】
なお、センシング部３８は、例えば、赤外線センサ等のカメラ以外の光学センサ又は超音波センサ等であってもよい。また、植物Ｐ近傍に滞留する気体を測定し、エチレンガス又は臭い成分等を検知するガスセンサー等であってもよい。ガスセンサー等であれば、植物Ｐの状態として、臭い等からも熟れ具合を解析することができる。
【００４１】
制御部４０は、陳列装置１０の所定箇所に取り付けられた不図示の駆動制御回路によって構成されている。駆動制御回路は、メモリと、メモリに記憶されたプログラムを実行するプロセッサからなり、プロセッサとしては、汎用的なＣＰＵ（Central Processing Unit）、ＦＰＧＡ（Field Programmable Gate Array）等の製造後に回路構成を変更可能なプロセッサであるプログラマブルロジックデバイス（Programmable Logic Device：ＰＬＤ）、及びＡＳＩＣ（Application Specific Integrated Circuit）等の特定の処理をさせるために専用に設計された回路構成を有するプロセッサである専用電気回路等が利用可能である。また、上述した各種プロセッサのうちの一つで制御回路を構成してもよいし、同種又は異種の二つ以上のプロセッサの組み合わせ、例えば、複数のＦＰＧＡの組み合わせ、又はＦＰＧＡ及びＣＰＵの組み合わせ等によって構成してもよい。また、システムオンチップ（System on Chip：ＳｏＣ）等に代表されるように、複数の制御回路を含むシステム全体の機能を一つのＩＣ（Integrated Circuit）チップで実現するプロセッサを使用してもよい。
【００４２】
また、制御部４０は、陳列装置１０を遠隔で操作する不図示のコンピュータ（以下、制御コンピュータ）を含んで構成されたものでもよい。かかる構成では、陳列装置１０及び制御コンピュータが有線方式又は無線方式にて通信可能に接続されており、陳列装置１０側の駆動制御回路が制御コンピュータからの制御信号を受信し、受信した制御信号に則って照射部３２を制御する。
【００４３】
制御部４０は、照射部３２による光照射を制御し、具体的には、照射部３２から照射される光の照射強度、点滅速度、照射波長及び照射範囲等からなる制御パラメータを制御する。このように、これらの制御パラメータの少なくとも１つを制御することにより、複数の植物Ｐのうちの特定の植物Ｐを際立たせるように照射することができる。ここでいう特定の植物Ｐには、例えば、丁度よい頃合いであって際立たせたい植物Ｐの順位（推奨順位）の高い植物Ｐが含まれる。
【００４４】
制御部４０は、陳列棚１４ごとに制御パラメータを制御してもよいし、同一の陳列棚１４内であっても照射部３２ごと又は照射部３２の光源３４ごとに制御パラメータを制御してもよい。例えば、同一の陳列棚１４内で陳列される植物Ｐの種類又は個体ごとに品質（例えば、鮮度、風味又は大きさ等）が異なる場合には、同一の照射部３２に備えられた各光源３４から照射される光の照射強度、点滅速度、照射波長及び照射範囲等を、植物Ｐの種類又は品質等に応じて、植物Ｐごとに異なるように制御してもよい。
【００４５】
制御パラメータを変化させる具体的な方法としては、例えば、推奨される植物Ｐに限定して光を照射したり、推奨される植物Ｐに限定して光の照射強度を強くしたり、推奨される植物Ｐに限定して光を点滅させたりするように制御するとよい。
また、複数の植物Ｐに対してその植物Ｐの推奨順位に応じて明るさを段階的に変化させてもよい。例えば、植物Ｐの推奨順位に応じて、照度を０ｌｘから１０，０００ｌｘの間で、１，０００ｌｘずつ段階的に上げていき、より明るく照射している植物Ｐをより推奨するように制御する。
さらに、推奨される植物Ｐに限定して、赤色又は青色等の特定の色で照射するように制御してもよいし、植物Ｐの推奨順位に応じて色を変化させてもよい。なお、植物Ｐの推奨順位に応じて照射する光の色を変化させた場合、後述するディスプレイ４２又はスピーカー４４等によって、その光の色が示す意味について説明するとよい。
【００４６】
また、制御部４０は、検知部３６が接近する顧客を検知したときに限定して、制御パラメータを制御して照射を行うようにしてもよい。また、接近した顧客が後述するディスプレイ４２上での操作により指定した任意の植物Ｐを照射するように制御してもよい。また、例えば、或る属性に属する人は○○のような風味の植物を好む傾向がある等の情報を収集しておき、それらの統計に基づき、顧客の属性に応じたその顧客の好み等に合致した植物Ｐを照射するように制御してもよい。また、植物Ｐの陳列期間に応じて制御パラメータを制御して変化を付けてもよい。
【００４７】
また、制御部４０は、陳列装置１０に陳列が開始される前に光が照射されなかった期間があった植物Ｐ（例えば、収穫後に箱詰めされて光が遮断された状態で搬送された後に陳列された植物Ｐ）については、植物Ｐの陳列開始後にその植物Ｐに対して照射を行った後、制御パラメータの制御を開始してもよい。このとき、制御パラメータの制御開始前に照射する照射時間又は照射する光の量は、植物Ｐに対して光が照射されなかった期間に応じて決定するとよい。
【００４８】
また、本実施形態に係る陳列装置１０は、図１に示すように、植物Ｐの状態を識別可能に表示する表示部としてのディスプレイ４２と、植物Ｐの状態を識別可能な音声を発する音声部としてのスピーカー４４と、を有する。
【００４９】
ディスプレイ４２は、陳列装置１０の正面において好適な高さに設置され、陳列装置１０付近の顧客に対して、陳列装置１０に陳列された植物Ｐの説明、植物Ｐの状態の説明又は植物Ｐを推奨するメッセージ等を報知（表示）する。ディスプレイ４２に表示される情報としては、例えば、植物Ｐの推奨順位に応じて照射する光の色を変化させた場合、その光の色についての説明（植物Ｐの推奨順位に関する説明）等を表示する。なお、ディスプレイ４２は、陳列装置１０の付帯機器であり、必ずしも設けられていなくてもよい。
【００５０】
また、本実施形態では、ディスプレイ４２は、位置入力機能を備えたタッチパネルであり、陳列装置１０に接近した顧客が希望商品を提示するための操作部としての機能も有する。接近した顧客は、ディスプレイ４２上に表示された特定の部分を押したり滑らせたりする等の操作を行うことにより、自身が購入を希望する商品（植物Ｐ）を指定することができる。操作部により指定された商品は、ディスプレイ４２に表示されることにより提示される。また、操作内容に基づく信号に応じて、制御部４０が、その指定された植物Ｐを目立つように光を照射する等の制御を行って、希望商品を提示してもよい。
なお、操作部は、ディスプレイ４２と一体型の場合に限らず、各種キーボタン等の入力手段を有する不図示の操作盤等が別途設置されていてもよい。また、不図示のマイク等、顧客の音声を認識するものであってもよい。
【００５１】
スピーカー４４は、陳列装置１０の正面において好適な高さに設置され、陳列装置１０付近の顧客に対して、陳列装置１０に陳列された植物Ｐの説明、植物Ｐの状態の説明又は植物Ｐを推奨するメッセージ等を陳列装置１０付近の顧客に対して報知する。スピーカー４４により報知される情報としては、例えば、植物Ｐの推奨順位に応じて照射する光の色を変化させた場合、その光の色についての説明（植物Ｐの推奨順位に関する説明）等を報知する。すなわち、ディスプレイ４２により表示される情報を同じ情報を音声によって案内する場合も含む。また、スピーカー４４は、ディスプレイ４２の近くに設置してもよいし、スピーカー４４とディスプレイ４２とは一体型であってもよい。なお、スピーカー４４は、陳列装置１０の付帯機器であり、必ずしも設けられていなくてもよい。
【００５２】
＜本実施形態の陳列装置における照射制御＞
本実施形態において、制御部４０は、複数の植物Ｐのうちの少なくとも１つの植物Ｐを特定し、その特定した植物Ｐに対して、照射強度、点滅速度、照射波長及び照射範囲からなる制御パラメータの少なくとも１つを制御してその特定した植物Ｐを際立たせるように、照射部３２から光を照射する。これにより、陳列装置１０に陳列された複数の植物Ｐの中から推奨順位の高い丁度よい頃合いの植物Ｐを優先的に顧客に訴求することができる。
【００５３】
ここで、図３を参照しながら、照射制御処理の流れについて、説明する。照射制御処理は、制御部４０、並びに、制御部４０によって制御される検知部３６、センシング部３８、照射部３２、ディスプレイ４２及びスピーカー４４等によって実行され、植物Ｐを陳列装置１０に陳列する度ごとに繰り返される。
【００５４】
先ず、照射制御処理の実行に際して、陳列対象の植物Ｐが陳列装置１０の陳列棚１４に陳列される。そして、制御部４０は、照射部３２を制御し、陳列開始前に光が照射されなかった期間に応じて植物Ｐに対し照射を行う（Ｓ１０１）。
【００５５】
次に、店舗の営業時間になると（Ｓ１０２：ＹＥＳ）、陳列装置１０への接近者、例えば陳列装置１０付近にいる顧客の有無が検知部３６によって監視される。検知部３６が接近者を検知すると（Ｓ１０３：ＹＥＳ）、制御部４０は、陳列されている複数の植物Ｐの中から推奨順位の高い植物Ｐを特定する（Ｓ１０４）。このとき、推奨順位の高い植物Ｐは、所謂お勧めの植物Ｐであって、センシング部３８により把握した植物Ｐの状態、植物Ｐごとに異なる陳列期間、又は、検知部３６により検知した接近者の属性等に応じて、特定する。
【００５６】
そして、制御部４０は、照射強度、点滅速度、照射波長及び照射範囲からなる制御パラメータの少なくとも１つを制御し、その特定した植物Ｐに対し、照射部３２からその特定した植物Ｐを際立たせるように光を照射する（Ｓ１０５）と共に、その際立たせるように光が照射されている植物Ｐが推奨されていることを接近者が識別できるように、ディスプレイ４２又はスピーカー４４により、制御パラメータを制御して光を照射しているその植物Ｐに関する情報を接近者に対して報知し（Ｓ１０６）、処理を終了する。
なお、店舗の営業時間外（Ｓ１０２：ＮＯ）及び検知部３６が接近者を検知していない場合（Ｓ１０３：ＮＯ）は、そのまま処理を終了する。
【００５７】
＜その他の実施形態＞
以上までに本発明の陳列装置、及び植物の陳列方法について具体例を挙げて説明してきたが、上述の実施形態は、本発明の理解を容易にするために挙げた一例に過ぎず、上記以外の実施形態も考えられ得る。
【００５８】
例えば、上記の実施形態では、上下方向に並ぶ複数の陳列棚１４を設けて陳列棚１４ごとに植物Ｐを陳列することとした。つまり、上記の実施形態では、１台の陳列装置１０あたりに、植物Ｐを陳列する箇所が複数存在することとしたが、これに限定されるものではなく、複数の植物Ｐを陳列することができれば、陳列装置において植物Ｐを陳列する箇所が一つのみであってもよい。
【符号の説明】
【００５９】
１０    陳列装置
１２    可動具
１４    陳列棚
１６    支柱
１８    ハウジング
２０    栽培トレー
２２    定植プレート
２２ａ  貫通孔
２４    培地
２６    栽培用カップ
２６ａ  底孔
２８    貯留タンク
３０    循環ポンプ
３２    照射部
３４    光源
３６    検知部
３８    センシング部
４０    制御部
４２    ディスプレイ
４４    スピーカー
Ｐ      植物
【図１】
2022002591.tif 000003
【図２】
2022002591.tif 000004
【図３】
2022002591.tif 000005